(57)【要約】      （修正有）【課題】原料の出し入れが容易な原料投入口を有するティーバッグ、及び当該ティーバッグを容易に製造する方法を提供する。【解決手段】少なくとも第１・・・第ｎのｎ枚のフィルターを備え（ｎは２以上の整数）、原料投入口を有するティーバッグの製造方法であって、第１・・・第ｎフィルターをその順序で重ね、かつ、第（ｍ−１）フィルターの縁の少なくとも一部分が、第ｍフィルターの面と重なるように、重ねて配置する（ｍは２以上ｎ以下の整数）重畳配置工程と、ティーバッグの外形を、第（ｍ−１）重畳領域と、第（ｍ−１）非重畳領域と、を含む所定の形状に設定し成形する、外形設定成形工程とを含ティーバッグの製造方法。【選択図】図１
2019189299.tif 000002
【特許請求の範囲】
【請求項１】
少なくとも第１・・・第ｎのｎ枚のフィルターを備え（ｎは２以上の整数）、原料投入口を有するティーバッグの製造方法であって、以下の重畳配置工程と、外形設定成形工程と、を含むことを特徴とする、ティーバッグの製造方法。
（重畳配置工程）
第１・・・第ｎフィルターをその順序で重ね、かつ、
第（ｍ−１）フィルターの縁の少なくとも一部分が、第ｍフィルターの面と重なるように、前記第（ｍ−１）フィルター及び前記第ｍフィルターを重ねて配置する（ｍは２以上ｎ以下の整数）。
（外形設定成形工程）
ティーバッグの外形を、下で定義される第（ｍ−１）重畳領域と、第（ｍ−１）非重畳領域と、を含む所定の形状に設定し成形する。
［第（ｍ−１）重畳領域］  前記第（ｍ−１）フィルター及び前記第ｍフィルターが重なる領域
［第（ｍ−１）非重畳領域］  前記第（ｍ−１）フィルター及び前記第ｍフィルターが重ならない領域
【請求項２】
前記外形設定成形工程において、
同一の整数ｍによって定義される前記第（ｍ−１）非重畳領域が、離れて２つ以上存在しないように、ティーバッグの外形を所定の形状に設定し成形することを特徴とする、請求項１に記載のティーバッグの製造方法。
【請求項３】
前記外形設定成形工程において、
同一の整数ｍによって定義される、前記第（ｍ−１）重畳領域と、前記第（ｍ−１）非重畳領域と、に関して、
前記第（ｍ−１）重畳領域が、前記第（ｍ−１）非重畳領域よりも広くなるように、ティーバッグの外形を所定の形状に設定し成形することを特徴とする、請求項１又は２に記載のティーバッグの製造方法。
【請求項４】
前記重畳配置工程において、
前記第（ｍ−１）フィルターと同階層に、前記第（ｍ−１）非重畳領域に重なるように、第（ｍ−１）´フィルターを重ねて配置し、
前記外形設定成形工程において、
ティーバッグの外形を、下で定義される第（ｍ−１）´重畳領域をさらに含み、かつ、下で定義される条件１を満たす、所定の形状に設定し成形することを特徴とする、請求項１〜３の何れか一項に記載のティーバッグの製造方法。
［第（ｍ−１）´重畳領域］  前記第（ｍ−１）非重畳領域であり、かつ、前記第（ｍ−１）´フィルター及び前記第ｍフィルターが重なる領域
（条件１）  前記第（ｍ−１）フィルター及び前記第（ｍ−１）´フィルターが重なる領域の面積が、前記第（ｍ−１）重畳領域の面積に対して、２０％以下である
【請求項５】
フィルターとして、２種以上の異なるフィルターを使用することを特徴とする、請求項１〜４の何れか一項に記載のティーバッグの製造方法。
【請求項６】
ｎが３以上の整数であり、
前記外形設定成形工程において、
整数ｍの値が異なる２以上の前記第（ｍ−１）非重畳領域が含まれるように、ティーバッグの外形を所定の形状に設定し成形することを特徴とする、請求項１〜５の何れか一項に記載のティーバッグの製造方法。
【請求項７】
前記所定の形状に含まれる、前記２以上の前記第（ｍ−１）非重畳領域を存在せしめる、２以上の整数ｍの値として、以下の条件２を満たす整数ｘ及び整数ｙが存在することを特徴とする、請求項６に記載のティーバッグの製造方法。
（条件２）
第（ｘ−１）フィルター及び第ｘフィルターの組み合わせと、第（ｙ−１）フィルター及び第ｙフィルターの組み合わせと、の間において、フィルターの種類に関して少なくとも一部に相違がある
【請求項８】
前記外形設定成形工程において設定した前記所定の形状に沿ってレーザーを照射することにより、
２枚以上のフィルターが重なる重畳領域については、当該２枚以上のフィルターの切断及び溶着を同時に行い、
フィルターが重ならない非重畳領域については、当該フィルターを切断することを特徴とする、請求項１〜７の何れか一項に記載のティーバッグの製造方法。
【請求項９】
前記フィルターが、紙、不織布、ナイロン紗、ポリエステル紗及び植物由来の生分解性繊維等から選択される少なくとも１種以上であることを特徴とする、請求項１〜８の何れか一項に記載のティーバッグの製造方法。
【請求項１０】
請求項１〜９の何れか一項に記載のティーバッグの製造方法により製造された、原料投入口を有するティーバッグ。
【発明の詳細な説明】
【技術分野】
【０００１】
本発明は、原料投入口を有するティーバッグ、及びその製造方法に関するものである。
【背景技術】
【０００２】
ティーバッグは、包装体に予め所定量の茶葉や粉末が内包されており、湯や水に浸すだけで茶類を抽出することができ、その簡便さから広く普及している。
【０００３】
また、原料が封入されておらず、使用者が、自らの好みの被抽出物を投入する、空のティーバッグも販売されている。
【０００４】
例えば、特許文献１には、抽出材料を入れる通水性シート材料で形成された袋体からなる抽出バッグであって、袋体の開口部にチャックが設けられている抽出バッグが記載されている。
【先行技術文献】
【特許文献】
【０００５】
【特許文献１】特開２００７−２７６８１５号公報
【発明の概要】
【発明が解決しようとする課題】
【０００６】
ところで、従来のティーバッグは、長方形型のティーバッグである場合、一枚のフィルターを折り畳み、折り目部分を一辺とし、二辺を溶着して余った一辺から原料を投入することで製造する。または、２枚のフィルターを重ね、長方形の四辺のうち三辺を溶着し、余った一辺から茶葉等の原料を投入した後、当該一辺を溶着（封止）することでティーバッグを製造する。
【０００７】
この方法では、ティーバッグの形状が長方形・正方形又は三角錐などの、直線状に溶着を行う形状に限定されてしまい、曲線を有する形状のティーバッグにおいては、未溶着部分が発生する恐れがあり、シール不良や原料漏れの要因となる。
【０００８】
また、前記特許文献１に記載の開口部にチャックが設けられている抽出バッグにおいても、常法によるティーバッグの製造方法に、チャックを設ける工程を備える必要があり、製造効率が改善されるものではない。
【０００９】
ティーバッグの製造方法は、上述した他に、予めフィルターとフィルターの間に原料を挟み、原料を囲うようにティーバッグを成形する方法も知られている。
【００１０】
しかし、この方法では、ティーバッグの製造過程における機械の振動等により、原料の位置がずれることで、ティーバッグ１個毎の原料の含量が大きくずれてしまうという問題があった。さらに、フィルターの溶着部に被抽出物が入り込むことで未溶着部分が生じてしまい（噛み込み）、原料の流失が発生するという問題があった。
【００１１】
したがって、本発明は、原料の出し入れが容易な原料投入口を有するティーバッグ、及び当該ティーバッグを容易に製造する方法を提供することを課題とする。
【課題を解決するための手段】
【００１２】
本発明者は、ティーバッグを製造する際に使用するフィルターの配置を工夫することで、余分な工程を経ることなく、容易に原料投入口を有するティーバッグを製造できることを見出し、本発明に至った。
【００１３】
すなわち、前記課題を解決する本発明は、
少なくとも第１・・・第ｎのｎ枚のフィルターを備え（ｎは２以上の整数）、原料投入口を有するティーバッグの製造方法であって、以下の重畳配置工程と、外形設定成形工程と、を含むことを特徴とする、ティーバッグの製造方法である。
【００１４】
（重畳配置工程）
第１・・・第ｎフィルターをその順序で重ね、かつ、
第（ｍ−１）フィルターの縁の少なくとも一部分が、第ｍフィルターの面と重なるように、前記第（ｍ−１）フィルター及び前記第ｍフィルターを重ねて配置する（ｍは２以上ｎ以下の整数）。
【００１５】
（外形設定成形工程）
ティーバッグの外形を、下で定義される第（ｍ−１）重畳領域と、第（ｍ−１）非重畳領域と、を含む所定の形状に設定し成形する。
［第（ｍ−１）重畳領域］  前記第（ｍ−１）フィルター及び前記第ｍフィルターが重なる領域
［第（ｍ−１）非重畳領域］  前記第（ｍ−１）フィルター及び前記第ｍフィルターが重ならない領域
【００１６】
本発明の製造方法によれば、容易に原料投入口を有するティーバッグを製造することができる。
【００１７】
本発明の好ましい形態では、前記外形設定成形工程において、
同一の整数ｍによって定義される前記第（ｍ−１）非重畳領域が、離れて２つ以上存在しないように、ティーバッグの外形を所定の形状に設定し成形することを特徴とする。
【００１８】
本発明の好ましい形態では、前記外形設定成形工程において、
同一の整数ｍによって定義される、前記第（ｍ−１）重畳領域と、前記第（ｍ−１）非重畳領域と、に関して、
前記第（ｍ−１）重畳領域が、前記第（ｍ−１）非重畳領域よりも広くなるように、ティーバッグの外形を所定の形状に設定し成形することを特徴とする。
【００１９】
本発明の好ましい形態では、前記重畳配置工程において、
前記第（ｍ−１）フィルターと同階層に、前記第（ｍ−１）非重畳領域に重なるように、第（ｍ−１）´フィルターを重ねて配置し、
前記外形設定成形工程において、
ティーバッグの外形を、下で定義される第（ｍ−１）´重畳領域をさらに含み、かつ、下で定義される条件１を満たす、所定の形状に設定し成形することを特徴とする。
［第（ｍ−１）´重畳領域］  前記第（ｍ−１）非重畳領域であり、かつ、前記第（ｍ−１）´フィルター及び前記第ｍフィルターが重なる領域
（条件１）  前記第（ｍ−１）フィルター及び前記第（ｍ−１）´フィルターが重なる領域の面積が、前記第（ｍ−１）重畳領域の面積に対して、２０％以下である
【００２０】
本発明の好ましい形態では、フィルターとして、２種以上の異なるフィルターを使用することを特徴とする。
【００２１】
本発明の好ましい形態では、ｎが３以上の整数であり、
前記外形設定成形工程において、
整数ｍの値が異なる２以上の前記第（ｍ−１）非重畳領域が含まれるように、ティーバッグの外形を所定の形状に設定し成形することを特徴とする。
【００２２】
本発明の好ましい形態では、前記所定の形状に含まれる、前記２以上の前記第（ｍ−１）非重畳領域を存在せしめる、２以上の整数ｍの値として、以下の条件２を満たす整数ｘ及び整数ｙが存在することを特徴とする。
（条件２）
第（ｘ−１）フィルター及び第ｘフィルターの組み合わせと、第（ｙ−１）フィルター及び第ｙフィルターの組み合わせと、の間において、フィルターの種類に関して少なくとも一部に相違がある
【００２３】
本発明の好ましい形態では、設定した前記所定の形状に沿ってレーザーを照射することにより、
２枚以上のフィルターが重なる重畳領域については、当該２枚以上のフィルターの切断及び溶着を同時に行い、
フィルターが重ならない非重畳領域については、当該フィルターを切断する。
レーザーを用いることで、より容易に原料投入口を有するティーバッグを製造することができる。
【００２４】
本発明の好ましい形態では、前記フィルターが、紙、不織布、ナイロン紗、ポリエステル紗及び植物由来の生分解性繊維等から選ばれる１種又は２種以上である。
【００２５】
また、前記課題を解決する本発明は、上述したティーバッグの製造方法により製造された原料投入口を有するティーバッグである。
本発明のティーバッグは、原料の出し入れが容易である。
【発明の効果】
【００２６】
本発明の製造方法によれば、従来の方法と比して容易に原料投入口を有するティーバッグを製造することができる。
本発明のティーバッグは、原料の出し入れが容易である。
【図面の簡単な説明】
【００２７】
【図１】２枚のフィルターを用いた原料投入口を有するティーバッグの製造方法を示すイメージ図である。
【図２】本発明の原料投入口を有するティーバッグの図面代用写真である。
【図３】本発明の原料投入口を有するティーバッグの図面代用写真である。
【図４】３枚のフィルターを用いた原料投入口を有するティーバッグの製造方法を示す図である。
【図５】３枚のフィルターを用いた原料投入口を有するティーバッグの製造方法を示す図である。
【発明を実施するための形態】
【００２８】
以下、図面を参照して本発明の一実施形態に係るティーバッグの製造方法について説明するが、本発明はこれに限られない。
【００２９】
（実施例１）
［材料］
本発明のティーバッグの製造方法において、フィルターの種類は、一般にティーバッグに用いることができる素材であれば特に限定されず、紙、不織布、ナイロン紗、ポリエステル紗及び植物由来の生分解性繊維等を用いることができる。
【００３０】
フィルターの種類によって原料からの抽出効率が異なる。そのため、２種以上の異なるフィルターを使用することで、原料に合わせた抽出効率の調節が可能となる。
【００３１】
[重畳配置工程]
図１に、実施例１に係るフィルターの製造方法のイメージ図を示す。
本実施形態においては、第１フィルター１０ａ及び第２フィルター１０ｂを重ねる。このとき、第１フィルターの縁１２ａの一部分が、第２フィルターの面１１ｂと重なるように配置する。
また、第２フィルターの縁１２ｂが、第１フィルターの面１１ａと重なるように配置する。
【００３２】
なお、第１フィルター及び第２フィルターとは、互いに重ね合う２枚のフィルターの異同を明確にするために便宜上名称を使い分けているに過ぎず、これら２枚のフィルターが別素材であることを限定する意味ではない。
【００３３】
また、一枚のフィルターであっても、これを折り畳めば当該フィルターの縁の一部を当該フィルターの面に重ねることができる。この場合には、フィルターの折り目を境界に分割された一方の面を第１フィルター、他方の面を第２フィルターとみなし、本発明を適用することができる。
【００３４】
また、本明細書においてフィルターの縁とは、フィルターの外形の外周部を意味する。また、フィルターの面とは、フィルターの外周部に縁取られた内部の領域を示す。
【００３５】
図１に示すように、第１フィルター１０ａ及び第２フィルター１０ｂを重ねると、２枚のフィルターの重なりがある領域と、重なりが無い領域が生じる。
この第１フィルター１０ａ及び第２フィルター１０ｂが重なる領域を第１重畳領域２０ａという（図１）。
また、第１フィルター１０ａ及び第２フィルター１０ｂが重ならない領域を第１非重畳領域３０ａという（図１）。
【００３６】
なお、「第１重畳領域２０ａ」は、第１フィルター１０ａと第２フィルター１０ｂの重畳関係について説明する用語である。他のフィルターが存在したとしても、これに影響されない。
あくまでも第１フィルター１０ａと第２フィルター１０ｂの重畳する領域が「第１重畳領域２０ａ」である。
【００３７】
本願明細書においては、特定のフィルターの重畳関係とは関係なく、２枚以上のフィルターが重畳している領域については単に「重畳領域」という。
【００３８】
また、「第１非重畳領域３０ａ」は、第１フィルター１０ａと第２フィルター１０ｂの重畳関係について説明する用語である。他のフィルターが存在し、これが重畳していたとしても影響されない。
あくまでも第１フィルター１０ａと第２フィルター１０ｂが重なっていない領域が「第１重畳領域２０ａ」である。
【００３９】
本願明細書においては、特定のフィルターの重畳関係とは関係なく、２枚以上のフィルターが重畳していない領域、つまり一枚のフィルターしか存在しない領域については単に「非重畳領域」という。
【００４０】
図１には２枚のフィルターを用いる形態について図示したが、用いる枚数は限定されない。２以上の整数をｎで表現すると、少なくとも第１・・・第ｎのｎ枚のフィルターを使用する形態全てに本発明は適用可能である。
【００４１】
図１には２枚のフィルターを用いる具体例を示しているが、第１・・・第ｎのｎ枚のフィルターを用い、これを第１・・・第ｎの順序で重ねる場合には、以下の定義に従い重畳領域と非重畳領域を一般化することができる（ｎは２以上の整数、ｍは２以上ｎ以下の整数）。
［第（ｍ−１）重畳領域］  前記第（ｍ−１）フィルター及び前記第ｍフィルターが重なる領域
［第（ｍ−１）非重畳領域］  前記第（ｍ−１）フィルター及び前記第ｍフィルターが重ならない領域
【００４２】
なお、本願明細書においては、第１フィルター又は第ｎフィルターである場合であっても、これがティーバッグの最外層をなすものとは限らない。「第１・・・第ｎフィルター」との呼称は、積層の順序を特定する意義しかない。
【００４３】
また、本願明細書においては、説明の便宜上、上記一般化された抽象的表現ではなく、主に第１、第２・・・などと具体的な数値表現を用いて本発明の実施の形態を説明する。具体的な数値表現を用いて説明した本発明の実施の形態については、上記一般化された抽象的表現で特定される本発明の実施の形態にも妥当する。
すなわち、第１フィルターに関する説明は第（ｍ−１）フィルターに、第２フィルターに関する説明は第ｍフィルターに適用することができる。
【００４４】
第１フィルター１０ａと第２フィルター１０ｂを重ねて配置する態様は特に限定されない。第１重畳領域２０ａと第１非重畳領域３０ａが生じる関係にあればよい。
例えば、第１フィルターの縁１２ａの全部が、第２フィルターの面１１ｂに重なるように配置、すなわち第１フィルターが第２フィルターに包含されるように配置しても構わない。
【００４５】
［外形設定成形工程］
２枚のフィルターを重ねた後、第１重畳領域２０ａと第１非重畳領域３０ａを含むようにティーバッグの外形を設定する。
本実施形態において設定したティーバッグの外形、すなわち設定外形４０を図１に示す。
本実施形態においてはハート型と長方形型となるように外形を設定しているが、この外形は特に限定されず、適宜設計することができる。
特に本発明の製造方法は、ハート型等の曲線部を有している形状のティーバッグの製造に適している。
【００４６】
図１においては設定外形４０には、それぞれ連続した第１重畳領域２０ａと第１非重畳領域３０ａが１つずつ含まれる形態を示した。
これを一般化して表現すると、同一の整数ｍによって定義される第（ｍ−１）非重畳領域が、離れて２つ以上存在しないように、ティーバッグの外形を設定している。
【００４７】
図示はしないが、第１非重畳領域３０ａが離れて２つ以上存在するようにティーバッグの外形を設定してもよい。
なお、図１から明らかなように、設定した設定外形４０に含まれる第１重畳領域２０ａが原料を保持する空間（原料保持空間）を構成する。そして、設定外形４０に含まれる、連続した第１非重畳領域３０ａの数が、原料投入口５１の数となる。
原料投入口５１からの原料の流出を防止する観点では、原料投入口５１の数は１つであることが好ましい。
そのため、図１に示すように、第１非重畳領域３０ａが、離れて２つ以上存在しないように、ティーバッグ５０の外形を設定することが好ましい。
【００４８】
なお、設定外形４０は、第１重畳領域２０ａの全領域を含む形態となるように設定することができない。これは、第１重畳領域２０ａと第１非重畳領域３０ａを含み、かつ第１重畳領域２０ａの全領域を含むようにティーバッグの外形４０を設定すると、第１・・・第ｎのｎ枚のフィルター（ｎは２以上の整数）を備えるティーバッグを製造し得ないことから明らかである。
【００４９】
また、封止の容易性という観点から、原料投入口５１を形成する、第２フィルターの縁部分が、直線状となるようにティーバッグ５０を形成することが好ましい。
このような形態とすることで、ティーバッグ５０の外形が曲線部を含むような複雑な形状であっても、容易に原料投入口５１を封止することができる。
なお、ティーバッグ５０における原料投入口５１は、封止してもよく、封止しなくてもよい。
【００５０】
設定外形における第１重畳領域２０ａと第１非重畳領域３０ａの面積比は特に限定されず、ティーバッグの外形に応じて適宜設定することができる。
設定した設定外形４０に含まれる第１重畳領域２０ａが原料を保持する空間部分を構成することから、図１に示すように第１重畳領域２０ａは、第１非重畳領域３０ａよりも広くなるようにティーバッグの外形を設定することが好ましい。
【００５１】
これを一般化して表現すると、同一の整数ｍによって定義される、第（ｍ−１）重畳領域と第（ｍ−１）非重畳領域では、前者が後者よりも面積が広くなるように、ティーバッグの外形を所定の形状に設定することが好ましい。
【００５２】
ティーバックの外形を設定した後、その設定外形４０に沿ってティーバッグを成形する。
ここで、「成形」には、設定した外形のティーバッグを作出する目的で行われる全ての操作が含まれる。例えば、フィルター同士の溶着、縫合、及び仮止めなどのフィルター同士を結合する操作や、外形を画定する操作や切断などの操作が含まれる。
【００５３】
本実施形態においては、成形操作として設定外形４０ａ及び４０ｂに沿ってレーザーを照射する。
これにより、第１重畳領域２０ａにある第１フィルター１０ａ及び第２フィルター１０ｂについては、切断及び溶着を同時に行う。
そして、第１非重畳領域３０ａにある第２フィルター１０ｂについては切断する。
レーザーを用いることで、第１重畳領域２０ａの切断及び溶着、並びに第１非重畳領域３０ａの切断を一度に行うことができ、より製造効率が向上する。
【００５４】
レーザーを用いる場合には、一般的に加工・溶着に使われる固体レーザー及び気体レーザーを用いることができ、ＣＯ２レーザーを用いることが好ましい。
【００５５】
レーザーの出力の上限及び下限は、フィルターの種類により異なるが、当業者であれば、適宜レーザーの出力を調整することが可能である。
例えば、フィルターが不織布である場合には、レーザーの出力の下限は、好ましくは１０Ｗ以上、より好ましくは１５Ｗ以上、特に好ましくは２０Ｗ以上である。また、レーザーの出力の上限は、好ましくは１５０Ｗ以下、より好ましくは１４０Ｗ以下、さらに好ましくは１３０Ｗ以下である。
【００５６】
２枚のフィルターを互いに結合させる手段はレーザー照射に限定されず、超音波溶着、熱風式溶着、熱板式溶着、インパルス式溶着及びコテ式溶着等を用いてもよい。また、ミシン、プログラミングが可能なミシン等を用いて、縫合を行ってもよい。
【００５７】
また、フィルターを切断する手段もレーザー照射に限定されず、カッター、超音波カッター、裁断機等を用いることができる。
【００５８】
このように第１重畳領域２０ａと第１非重畳領域３０ａを含めて外形を設定し成形することで、第１重畳領域２０ａにより構成された原料保持空間を有するティーバッグ５０ａ及びティーバッグ５０ｂを製造することができる。
これらティーバッグ５０ａ及びティーバッグ５０ｂは、第１重畳領域２０ａと第１非重畳領域３０ａの境界部分に、原料投入口５１ａ及び５１ｂを有する。
【００５９】
本発明のティーバッグに投入する原料としては、茶葉、漢方、コーヒー、健康食品、インスタント類（お味噌汁、スポーツ飲料、スープ等）等、出汁用原料等の食品等を用いることができ、顆粒状、粉末状のものが例示できる。また、アロマ及びポプリ等の雑貨や、石・鉱石等を投入し、風呂に入れることで、温泉効能的用途を有する雑貨、脱臭剤及び防臭剤等に用いることができる。さらに、医薬原料、及び洗顔料の粉末等の化粧品原料を用いることもできる。
【００６０】
ティーバッグ５０ａ及びティーバッグ５０ｂには、必要に応じてタグを紐づけしても良い。
【００６１】
図２及び図３に、本実施形態の製造方法により製造されたティーバッグ５０ａの図面代用写真を示す。
図３に示すように、第１非重畳領域３０ａをつまむことで、容易に原料投入口５１ａを開口させることができ、原料の投入作業を簡便に行うことができる。
【００６２】
（実施例２）
以下、実施例１で説明した事項については適宜省略しながら、実施例２についての説明を加える。
図４に、第１フィルター１０ａ、第２フィルター１０ｂ及び第３フィルター１０ｃを使用した、実施例２のティーバッグ５０ｃの製造方法を示す。
【００６３】
第１フィルター１０ａ、第２フィルター１０ｂ及び第３フィルター１０ｃを、図４に示す通りに配置する。
すると、第１重畳領域２０ａ及び第２重畳領域２０ｂ、並びに第１非重畳領域３０ａ及び第２非重畳領域３０ｂが生じる。
【００６４】
この状態を一般化して表現すると、ｎ枚（ｎが３以上）のフィルターを重ねることで、整数ｍの値が異なる２以上の第（ｍ−１）重畳領域と、２以上の第（ｍ−１）非重畳領域が存在しているといえる。
【００６５】
本実施形態においては、この第１重畳領域２０ａ、第２重畳領域２０ｂ及び第２非重畳領域３０ｂを含むようにティーバッグの外形を成形する（設定外形４０ｃ）。
【００６６】
これを一般化して表現すると、整数ｍの値が異なる２以上の第（ｍ−１）非重畳領域が含まれるように、ティーバッグの外形を所定の形状に設定し成形する。
（図４の場合、ｍの値は２と３になる）
【００６７】
設定外形４０ｃに沿って、第１重畳領域２０ａ及び第２重畳領域２０ｂを、レーザーを用いて切断及び溶着し、第２非重畳領域３０ｂを切断することで、原料投入口５１ｃを２つ有するティーバッグ５０ｃを製造する。
【００６８】
ティーバッグ５０ｃは、それぞれの原料投入口５１ｃに、異なる原料を投入することができる。
このような形態とすることで、使用者はブレンドのティーバッグを容易に調製することができる。
【００６９】
本実施形態のように、フィルターを３枚以上使用する場合には、原料を保持する空間（原料保持空間）を２以上形成することができる。
このような実施の形態とする場合に、それぞれの原料保持空間を構成するフィルターの種類を変更すれば、それぞれの原料保持空間からティーバッグ外部への原料抽出効率を異ならしめることができる。
【００７０】
換言すると、外形設定成形工程において設定する所定の形状に含まれる、２以上の第（ｍ−１）非重畳領域を存在せしめる、２以上の整数ｍの値として、以下の条件２を満たす整数ｘ及び整数ｙが存在することが好ましい。
【００７１】
（条件２）
第（ｘ−１）フィルター及び第ｘフィルターの組み合わせと、第（ｙ−１）フィルター及び第ｙフィルターの組み合わせと、の間において、フィルターの種類に関して少なくとも一部に相違がある
【００７２】
具体例を挙げて説明する。まず、第（ｘ−１）フィルター及び第ｘフィルターを比較的抽出効率が高いナイロン紗のフィルターで構成する。これにより、ナイロン紗で構成された原料保持空間が形成できる。
一方、第（ｙ−１）フィルター及び第ｙフィルターを比較的抽出効率が低い不織布のフィルターで構成する。これにより、不織布で構成された原料保持空間が形成できる。
【００７３】
茶葉等の原料は、その種類及び大きさ等により、それぞれ抽出効率が異なる。
抽出効率が低い茶葉を比較的抽出効率が高いナイロン紗で構成された原料保持空間に投入し、抽出効率が高い茶葉は、比較的抽出効率が低い不織布で構成された原料保持空間に投入することで、同等のバランスで抽出されるよう調整することが可能となる。
【００７４】
（実施例３）
図５に示すように、第２フィルター１０ｂの上に第１フィルター１０ａを重ねる。
これにより生じた第１非重畳領域３０ａの上に、第１´フィルター１０´ａを重ねる。つまり、第１フィルター１０ａと、第１´フィルター１０´ａは同階層に位置する（図５）。
【００７５】
この状態を一般化して表現すると、重畳配置工程において、第（ｍ−１）フィルターと同階層に、第（ｍ−１）非重畳領域に重なるように、第（ｍ−１）´フィルターを重ねて配置すると言える。
【００７６】
そして、第１重畳領域２０ａと、第１´フィルターが重畳された第１非重畳領域３０ａとを含むようにティーバッグの外形４０ｅを設定し成形する（図５）。
これを一般化して表現すると、第（ｍ−１）重畳領域、第（ｍ−１）非重畳領域、及び下で定義される第（ｍ−１）´重畳領域を含むように、ティーバッグの外形を設定し成形すると言える。
［第（ｍ−１）´重畳領域］  前記第（ｍ−１）非重畳領域であり、かつ、前記第（ｍ−１）´フィルター及び前記第ｍフィルターが重なる領域
【００７７】
これによって、原料投入口５１ｅを有するティーバッグ５０ｅを製造することができる。ティーバッグ５０ｅにおいて、第３フィルター１０ｃは蓋様の役割を果たす（図５）。
【００７８】
また、図示はしないが、第１非重畳領域３０ａの上に第１´フィルター１０´ａを重ねる際に、第１´フィルター１０´ａが、第１フィルター１０ａに重なるようにしても構わない。これにより、第１フィルター１０´ａが原料投入口５１ｅを覆い、原料流出を抑制する。
この際、ティーバッグの外形４０ｅに含まれる範囲において、第１フィルター１０ａ及び第１´フィルター１０´ａとの重なり面積が、第１重畳領域に対して、好ましくは２０％以下、より好ましくは１０％以下であることが、原料投入口５１ｅの開口操作の簡便さの観点から望ましい。
【００７９】
これを一般化して表現すると、外形設定成形工程において、第（ｍ−１）´重畳領域をさらに含み、かつ、下で定義される条件１を満たす、所定の形状に設定し成形することが望ましいと言える。
（条件１）  第（ｍ−１）フィルター及び第（ｍ−１）´フィルターが重なる領域の面積が、第（ｍ−１）重畳領域の面積に対して、２０％以下である
【産業上の利用可能性】
【００８０】
本発明は、ティーバッグ乃至包装体の製造技術に利用することができる。
【符号の説明】
【００８１】
１０      フィルター
１０ａ    第１フィルター
１０´ａ    第１´フィルター
１０ｂ    第２フィルター
１０ｃ    第３フィルター
１１      フィルターの面
１１ａ    第１フィルターの面
１１ｂ    第２フィルターの面
１２      フィルターの縁
１２ａ    第１フィルターの縁
１２ｂ    第２フィルターの縁
２０      重畳領域
２０ａ    第１重畳領域
２０ａ    第１´重畳領域
２０ｂ    第２重畳領域
３０      非重畳領域
３０ａ    第１非重畳領域
３０ｂ    第２非重畳領域
４０ａ〜ｄ  ティーバッグの外形
５０，５０ａ〜ｅ  ティーバッグ
５１，５１ａ〜ｅ  原料投入口
【図１】
2019189299.tif 000003
【図２】
2019189299.tif 000004
【図３】
2019189299.tif 000005
【図４】
2019189299.tif 000006
【図５】
2019189299.tif 000007
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
少なくとも第１・・・第ｎのｎ枚のフィルターを備え（ｎは２以上の整数）、原料投入口を有するティーバッグの製造方法であって、以下の重畳配置工程と、外形設定成形工程と、を含むことを特徴とする、ティーバッグの製造方法。
（重畳配置工程）
第１・・・第ｎフィルターをその順序で重ね、かつ、
第（ｍ−１）フィルターの縁の少なくとも一部分が、第ｍフィルターの面と重なるように、前記第（ｍ−１）フィルター及び前記第ｍフィルターを重ねて配置する（ｍは２以上ｎ以下の整数）。
（外形設定成形工程）
ティーバッグの外形を、下で定義される第（ｍ−１）重畳領域と、第（ｍ−１）非重畳領域と、を含み、前記（ｍ−１）フィルターの縁の少なくとも一部分及び第ｍフィルターの面が形成する原料投入口と、前記第（ｍ−１）重畳領域により構成される原料保持空間とが、直接する所定の形状に設定し成形する。
［第（ｍ−１）重畳領域］  前記第（ｍ−１）フィルター及び前記第ｍフィルターが重なる領域
［第（ｍ−１）非重畳領域］  前記第（ｍ−１）フィルター及び前記第ｍフィルターが重ならない領域
【請求項２】
少なくとも第１・・・第ｎのｎ枚のフィルターを備え（ｎは２以上の整数）、原料投入口を有するティーバッグの製造方法であって、以下の重畳配置工程と、外形設定成形工程と、を含むことを特徴とする、ティーバッグの製造方法。
（重畳配置工程）
第１・・・第ｎフィルターをその順序で重ね、かつ、
第（ｍ−１）フィルターの縁の少なくとも一部分が、第ｍフィルターの面と重なるように、前記第（ｍ−１）フィルター及び前記第ｍフィルターを重ねて配置し（ｍは２以上ｎ以下の整数）、前記第（ｍ−１）フィルターと同階層に、前記第（ｍ−１）非重畳領域に重なるように、第（ｍ−１）´フィルターを重ねて配置する。
（外形設定成形工程）
ティーバッグの外形を、下で定義される第（ｍ−１）重畳領域と、第（ｍ−１）非重畳領域と、第（ｍ−１）´重畳領域を含み、かつ下で定義される条件１を満たす、所定の形状に設定し成形する。
［第（ｍ−１）重畳領域］  前記第（ｍ−１）フィルター及び前記第ｍフィルターが重なる領域
［第（ｍ−１）非重畳領域］  前記第（ｍ−１）フィルター及び前記第ｍフィルターが重ならない領域
［第（ｍ−１）´重畳領域］  前記第（ｍ−１）非重畳領域であり、かつ、前記第（ｍ−１）´フィルター及び前記第ｍフィルターが重なる領域
（条件１）  前記第（ｍ−１）フィルター及び前記第（ｍ−１）´フィルターが重なる領域の面積が、前記第（ｍ−１）重畳領域の面積に対して、２０％以下である
【請求項３】
少なくとも第１・・・第ｎのｎ枚のフィルターを備え（ｎは３以上の整数）、原料投入口を有するティーバッグの製造方法であって、以下の重畳配置工程と、外形設定成形工程と、を含むことを特徴とする、ティーバッグの製造方法。
（重畳配置工程）
第１・・・第ｎフィルターをその順序で重ね、かつ、
第（ｍ−１）フィルターの縁の少なくとも一部分が、第ｍフィルターの面と重なるように、前記第（ｍ−１）フィルター及び前記第ｍフィルターを重ねて配置する（ｍは２以上ｎ以下の整数）。
（外形設定成形工程）
ティーバッグの外形を、下で定義される第（ｍ−１）重畳領域と、第（ｍ−１）非重畳領域と、を含み、かつ整数ｍの値が異なる２以上の前記第（ｍ−１）非重畳領域が含まれるように、所定の形状に設定し成形する。
［第（ｍ−１）重畳領域］  前記第（ｍ−１）フィルター及び前記第ｍフィルターが重なる領域
［第（ｍ−１）非重畳領域］  前記第（ｍ−１）フィルター及び前記第ｍフィルターが重ならない領域
【請求項４】
前記所定の形状に含まれる、前記２以上の前記第（ｍ−１）非重畳領域を存在せしめる、２以上の整数ｍの値として、以下の条件２を満たす整数ｘ及び整数ｙが存在することを特徴とする、請求項３に記載のティーバッグの製造方法。
（条件２）
第（ｘ−１）フィルター及び第ｘフィルターの組み合わせと、第（ｙ−１）フィルター及び第ｙフィルターの組み合わせと、の間において、フィルターの種類に関して少なくとも一部に相違がある
【請求項５】
前記外形設定成形工程において、
同一の整数ｍによって定義される前記第（ｍ−１）非重畳領域が、離れて２つ以上存在しないように、ティーバッグの外形を所定の形状に設定し成形することを特徴とする、請求項１〜４の何れか一項に記載のティーバッグの製造方法。
【請求項６】
前記外形設定成形工程において、
同一の整数ｍによって定義される、前記第（ｍ−１）重畳領域と、前記第（ｍ−１）非重畳領域と、に関して、
前記第（ｍ−１）重畳領域が、前記第（ｍ−１）非重畳領域よりも広くなるように、ティーバッグの外形を所定の形状に設定し成形することを特徴とする、請求項１〜５の何れか一項に記載のティーバッグの製造方法。
【請求項７】
フィルターとして、２種以上の異なるフィルターを使用することを特徴とする、請求項１〜６の何れか一項に記載のティーバッグの製造方法。
【請求項８】
前記外形設定成形工程において設定した前記所定の形状に沿ってレーザーを照射することにより、
２枚以上のフィルターが重なる重畳領域については、当該２枚以上のフィルターの切断及び溶着を同時に行い、
フィルターが重ならない非重畳領域については、当該フィルターを切断することを特徴とする、請求項１〜７の何れか一項に記載のティーバッグの製造方法。
【請求項９】
前記フィルターが、紙、不織布、ナイロン紗、ポリエステル紗及び植物由来の生分解性繊維から選択される少なくとも１種以上であることを特徴とする、請求項１〜８の何れか一項に記載のティーバッグの製造方法。
【請求項１０】
請求項１〜９の何れか一項に記載のティーバッグの製造方法により製造された、原料投入口を有するティーバッグ。
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
少なくとも第１・・・第ｎのｎ枚のフィルターを備え（ｎは２以上の整数）、原料投入口を有するティーバッグの製造方法であって、以下の重畳配置工程と、外形設定成形工程と、を含むことを特徴とする、ティーバッグの製造方法。
（重畳配置工程）
第１・・・第ｎフィルターをその順序で重ね、かつ、
第（ｍ−１）フィルターの縁の少なくとも一部分が、第ｍフィルターの面と重なるように、前記第（ｍ−１）フィルター及び前記第ｍフィルターを重ねて配置し（ｍは２以上ｎ以下の整数）、前記第（ｍ−１）フィルターと同階層に、以下に定義される第（ｍ−１）非重畳領域に重なるように、第（ｍ−１）´フィルターを重ねて配置する。
（外形設定成形工程）
ティーバッグの外形を、下で定義される第（ｍ−１）重畳領域と、第（ｍ−１）非重畳領域と、第（ｍ−１）´重畳領域を含み、かつ下で定義される条件１を満たす、所定の形状に設定し成形する。
［第（ｍ−１）重畳領域］  前記第（ｍ−１）フィルター及び前記第ｍフィルターが重なる領域
［第（ｍ−１）非重畳領域］  前記第（ｍ−１）フィルター及び前記第ｍフィルターが重ならない領域
［第（ｍ−１）´重畳領域］  前記第（ｍ−１）非重畳領域であり、かつ、前記第（ｍ−１）´フィルター及び前記第ｍフィルターが重なる領域
（条件１）  前記第（ｍ−１）フィルター及び前記第（ｍ−１）´フィルターが重なる領域の面積が、前記第（ｍ−１）重畳領域の面積に対して、２０％以下である
【請求項２】
少なくとも第１・・・第ｎのｎ枚のフィルターを備え（ｎは３以上の整数）、原料投入口を有するティーバッグの製造方法であって、以下の重畳配置工程と、外形設定成形工程と、を含むことを特徴とする、ティーバッグの製造方法。
（重畳配置工程）
第１・・・第ｎフィルターをその順序で重ね、かつ、
第（ｍ−１）フィルターの縁の少なくとも一部分が、第ｍフィルターの面と重なるように、前記第（ｍ−１）フィルター及び前記第ｍフィルターを重ねて配置する（ｍは２以上ｎ以下の整数）。
（外形設定成形工程）
ティーバッグの外形を、下で定義される第（ｍ−１）重畳領域と、第（ｍ−１）非重畳領域と、を含み、かつ整数ｍの値が異なる２以上の前記第（ｍ−１）非重畳領域が含まれるように、所定の形状に設定し成形する。
［第（ｍ−１）重畳領域］  前記第（ｍ−１）フィルター及び前記第ｍフィルターが重なる領域
［第（ｍ−１）非重畳領域］  前記第（ｍ−１）フィルター及び前記第ｍフィルターが重ならない領域
【請求項３】
前記所定の形状に含まれる、前記２以上の前記第（ｍ−１）非重畳領域を存在せしめる、２以上の整数ｍの値として、以下の条件２を満たす整数ｘ及び整数ｙが存在することを特徴とする、請求項２に記載のティーバッグの製造方法。
（条件２）
第（ｘ−１）フィルター及び第ｘフィルターの組み合わせと、第（ｙ−１）フィルター及び第ｙフィルターの組み合わせと、の間において、フィルターの種類に関して少なくとも一部に相違がある
【請求項４】
前記外形設定成形工程において、
同一の整数ｍによって定義される前記第（ｍ−１）非重畳領域が、離れて２つ以上存在しないように、ティーバッグの外形を所定の形状に設定し成形することを特徴とする、請求項１〜３の何れか一項に記載のティーバッグの製造方法。
【請求項５】
前記外形設定成形工程において、
同一の整数ｍによって定義される、前記第（ｍ−１）重畳領域と、前記第（ｍ−１）非重畳領域と、に関して、
前記第（ｍ−１）重畳領域が、前記第（ｍ−１）非重畳領域よりも広くなるように、ティーバッグの外形を所定の形状に設定し成形することを特徴とする、請求項１〜４の何れか一項に記載のティーバッグの製造方法。
【請求項６】
フィルターとして、２種以上の異なるフィルターを使用することを特徴とする、請求項１〜５の何れか一項に記載のティーバッグの製造方法。
【請求項７】
前記外形設定成形工程において設定した前記所定の形状に沿ってレーザーを照射することにより、
２枚以上のフィルターが重なる重畳領域については、当該２枚以上のフィルターの切断及び溶着を同時に行い、
フィルターが重ならない非重畳領域については、当該フィルターを切断することを特徴とする、請求項１〜６の何れか一項に記載のティーバッグの製造方法。
【請求項８】
前記フィルターが、紙、不織布、ナイロン紗、ポリエステル紗及び植物由来の生分解性繊維から選択される少なくとも１種以上であることを特徴とする、請求項１〜７の何れか一項に記載のティーバッグの製造方法。
【請求項９】
請求項１〜８の何れか一項に記載のティーバッグの製造方法により製造された、原料投入口を有するティーバッグ。